(57)【要約】【課題】  分離爪や温度センサーが設けられた取付板を排紙ガイドに取り付け、加熱部材と加圧部材との間を通して記録媒体にトナー画像を定着させるにあたり、排紙ガイドが変形した場合にも、分離爪や温度センサーが加熱部材に対して適切な位置で維持されるようにする。【解決手段】  加熱部材31と加圧部材32との間を通して記録媒体Sにトナー画像を定着させる定着装置30において、分離爪34や温度センサー35が設けられた取付板33が排紙ガイド36に対して排紙方向と交差する方向に移動するのを規制する一方、加熱部材の方向に取付板と排紙ガイドとが相対的に移動できるように保持する第１保持手段40と、前記の取付板が排紙ガイドに対して加熱部材の方向に移動するのを規制する一方、排紙方向と交差する方向に取付板と排紙ガイドとが相対的に移動できるように保持する第２保持手段50とを設けた。【選択図】  図６
2015114496.tif 000002
【特許請求の範囲】
【請求項１】
加熱部材と加圧部材との間を通して記録媒体にトナー画像を定着させる定着装置において、トナー画像が定着された記録媒体を加熱部材から分離させる分離爪と加熱部材の温度を検出する温度センサーとの少なくとも１つが設けられた取付板を、トナー画像が定着された記録媒体を排紙方向に案内する排紙ガイドに取り付けるにあたり、排紙ガイドに対して取付板が排紙方向と交差する方向に移動するのを規制する一方、加熱部材の方向に対して取付板と排紙ガイドとが相対的に移動できるようにして保持する第１保持手段と、排紙ガイドに対して取付板が加熱部材の方向に移動するのを規制する一方、排紙方向と交差する方向に対して取付板と排紙ガイドとが相対的に移動できるようにして保持する第２保持手段とを設けたことを特徴とする定着装置。
【請求項２】
請求項１に記載の定着装置において、前記の第２保持手段を、排紙方向と交差する方向の両側部に設けると共に、前記の第１保持手段を、排紙方向と交差する方向の中央部に１つ以上設けたことを特徴とする定着装置。
【請求項３】
請求項１又は請求項２に記載の定着装置において、前記の第１保持手段として、前記の取付板と排紙ガイドとの一方に加熱部材の方向に伸びた第１案内穴を設けると共に、他方にこの第１案内穴内に移動可能に係合される第１係合部材を設け、前記の第２保持手段として、前記の取付板と排紙ガイドとの一方に排紙方向と交差する方向に伸びた第２案内穴を設けると共に、他方にこの第２案内穴内に移動可能に係合される第２係合部材を設けたことを特徴とする定着装置。
【請求項４】
トナー画像を定着装置により記録媒体に定着させるようにした画像形成装置において、請求項１〜請求項３の何れか１項に記載の定着装置を用いたことを特徴とする画像形成装置。
【発明の詳細な説明】
【技術分野】
【０００１】
本発明は、トナー画像を記録媒体に定着させるのに使用する定着装置及びこの定着装置を用いた複写機，プリンター，ファクシミリ及びこれらの複合機等の画像形成装置に関するものである。特に、加熱部材と加圧部材との間を通して記録媒体にトナー画像を定着させるにあたり、トナー画像が定着された記録媒体を加熱部材から分離させる分離爪や加熱部材近傍の温度を検出する温度センサーが設けられた取付板を、トナー画像が定着された記録媒体を排紙方向に案内する排紙ガイドに取り付けるようにした定着装置において、取付板に設けられた分離爪や温度センサーを加熱部材に対して適切な位置にセットした後、定着動作時における熱によって、取付板が取り付けられた排紙ガイドが変形した場合においても、前記の分離爪や温度センサーが加熱部材に対して適切な位置で維持されるようにした点に特徴を有するものである。
【背景技術】
【０００２】
従来から、複写機，プリンター，ファクシミリ及びこれらの複合機等の電子写真方式を用いた画像形成装置においては、一般に、感光体等からトナー画像が転写された記録媒体を定着装置に導き、この定着装置においてトナー画像を記録媒体に定着させるようにしている。
【０００３】
ここで、このような定着装置としては、一般に、加熱装置によって加熱された定着ローラー等の加熱部材に加圧ローラー等の加圧部材を圧接させた状態で、この加熱部材と加圧部材との間において、トナー画像が転写された記録媒体を加熱・加圧して、トナー画像を記録媒体に定着させるようにしたものが使用されている。
【０００４】
また、このような定着装置においては、特許文献１，２等に示されるように、前記の加熱部材の表面に接触又は近接するように分離爪を設け、この分離爪によりトナー画像が定着された記録媒体を加熱部材から確実に分離させるようにすると共に、このように加熱部材から分離された記録媒体を排紙ガイドにより排紙方向に案内するようにしたものや、特許文献３に示されるように、温度センサーを加熱部材の表面に接触又は近接するように設け、この温度センサーにより加熱部材の温度を検知するようにしたものが示されている。
【０００５】
また、近年においては、前記の分離爪や温度センサーを取付板に取り付けると共に、このように取付板に取り付けられた分離爪や温度センサーが前記の加熱部材に対して適当な位置にセットされるようにして、この取付板を前記のように加熱部材から分離された記録媒体を排紙方向に案内する排紙ガイドに取り付けることが行われている。
【０００６】
ここで、前記の排紙ガイドをプラスチック等で成形した場合、排紙ガイドに反りが生じやすく、排紙ガイドが排紙方向、すなわち前記の加熱部材に対して近接・離隔する方向に反った状態で、前記のように取付板を排紙ガイドに取り付けて、この取付板に設けられた分離爪や温度センサーを加熱部材に対して適当な位置にセットさせた場合において、定着動作時における熱によって、反った状態にある排紙ガイドの反りが縮小するように変形すると、これに伴って取付板も変形するようになる。
【０００７】
そして、このように取付板が変形すると、前記のように加熱部材に対して適当な位置にセットされていた分離爪や温度センサーの位置が変化し、分離爪や温度センサーが加熱部材に押し付けられて、加熱部材や温度センサーが傷ついたり、加熱部材の温度を温度センサーによって適切に測定することができなくなったり、或いは分離爪や温度センサーが加熱部材から離れた位置に導かれて、トナー画像が定着された記録媒体を分離爪によって加熱部材から適切に分離させることができなくなったり、加熱部材の温度を温度センサーによって適切に測定することができなくなったりするという問題があった。
【先行技術文献】
【特許文献】
【０００８】
【特許文献１】特開２０１２−１５５１８９号公報
【特許文献２】特開２０１２−１６８３６９号公報
【特許文献３】特開２００９−２７１０９７号公報
【発明の開示】
【発明が解決しようとする課題】
【０００９】
本発明は、加熱部材と加圧部材との間を通して記録媒体にトナー画像を定着させるにあたり、トナー画像が定着された記録媒体を加熱部材から分離させる分離爪や加熱部材近傍の温度を検出する温度センサーが設けられた取付板を、トナー画像が定着された記録媒体を排紙方向に案内する排紙ガイドに取り付けるようにした定着装置における前記のような問題を解決することを課題とするものである。
【００１０】
すなわち、本発明においては、前記のような定着装置において、取付板に設けられた分離爪や温度センサーを加熱部材に対して適切な位置にセットした後、定着動作時における熱によって、取付板が取り付けられた排紙ガイドが変形した場合においても、前記の分離爪や温度センサーが加熱部材に対して適切な位置で維持されるようにすることを課題とするものである。
【課題を解決するための手段】
【００１１】
本発明に係る定着装置においては、前記のような課題を解決するにあたり、加熱部材と加圧部材との間を通して記録媒体にトナー画像を定着させる定着装置において、トナー画像が定着された記録媒体を加熱部材から分離させる分離爪と加熱部材の温度を検出する温度センサーとの少なくとも１つが設けられた取付板を、トナー画像が定着された記録媒体を排紙方向に案内する排紙ガイドに取り付けるにあたり、排紙ガイドに対して取付板が排紙方向と交差する方向に移動するのを規制する一方、加熱部材の方向に対して取付板と排紙ガイドとが相対的に移動できるようにして保持する第１保持手段と、排紙ガイドに対して取付板が加熱部材の方向に移動するのを規制する一方、排紙方向と交差する方向に対して取付板と排紙ガイドとが相対的に移動できるようにして保持する第２保持手段とを設けた。
【００１２】
ここで、本発明の定着装置においては、前記の第１保持手段によって取付板が排紙ガイドに対して排紙方向と交差する方向に移動するのを規制すると共に、第２保持手段によって取付板が排紙ガイドに対して加熱部材の方向に移動するのを規制する一方、第１保持手段によって加熱部材の方向に対して取付板と排紙ガイドとを相対的に移動できるようにして保持させると共に、第２保持手段によって排紙方向と交差する方向に対して取付板と排紙ガイドとが相対的に移動できるようにして保持させるようにして、取付板を排紙ガイドに対して所定の位置に取り付け、この状態で、取付板に設けられた分離爪や温度センサーを加熱部材に対して適切な位置にセットさせるようにする。
【００１３】
このようにすると、定着動作時における熱によって排紙ガイドが変形した場合においても、前記のように第１保持手段によって、取付板と排紙ガイドとが加熱部材の方向に相対的に移動できるように保持されると共に、第２保持手段によって、取付板と排紙ガイドとが排紙方向と交差する方向に移動できるように保持されているため、排紙ガイドの変形に伴って取付板が変形するのが防止され、取付板に設けられた分離爪や温度センサーが加熱部材に対して適切な位置で維持されるようになる。
【００１４】
また、本発明に係る定着装置においては、前記の第２保持手段を、排紙方向と交差する方向の両側部に設けると共に、前記の第１保持手段を、排紙方向と交差する方向の中央部に１つ以上設けるようにすることが好ましい。
【００１５】
このようにすると、前記のように加熱部材に対して近接・離隔する方向に反った排紙ガイドに対して取付板を取り付けた場合において、定着動作時における熱によって、排紙ガイドの反りが縮小するように排紙ガイドが変形しても、取付板の排紙方向と交差する方向の両側部は、前記の第２保持手段により、排紙ガイドに対して加熱部材の方向に移動するのが規制されて、加熱部材に対して一定した間隔で維持されると共に、取付板の排紙方向と交差する方向の中央部は、前記の第１保持手段により取付板と排紙ガイドとが加熱部材の方向に相対的に移動できるようになっているため、反りが縮小する方向に排紙ガイドが変形しても、取付板は加熱部材の方向に変形されず、加熱部材に対して一定した間隔で維持されるようになる。このため、前記のように反りが縮小する方向に排紙ガイドが変形しても、取付板に設けられた分離爪や温度センサーが加熱部材の方向に移動するのが抑制され、取付板に設けられた分離爪や温度センサーが加熱部材に対して一定した位置で維持されるようになる。
【００１６】
ここで、前記の第１保持手段としては、前記の取付板と排紙ガイドとの一方に加熱部材の方向に伸びた第１案内穴を設けると共に、他方にこの第１案内穴内に移動可能に係合される第１係合部材を設けるようにすることができ、また前記の第２保持手段としては、前記の取付板と排紙ガイドとの一方に排紙方向と交差する方向に伸びた第２案内穴を設けると共に、他方にこの第２案内穴内に移動可能に係合される第２係合部材を設けるようにすることができる。
【００１７】
また、本発明に係る画像形成装置においては、トナー画像を定着装置により記録媒体に定着させるにあたり、前記の定着装置を用いるようにした。
【発明の効果】
【００１８】
本発明の定着装置においては、トナー画像が定着された記録媒体を加熱部材から分離させる分離爪や加熱部材の温度を検出する温度センサーが設けられた取付板を、トナー画像が定着された記録媒体を排紙方向に案内する排紙ガイドに取り付けるにあたり、第１保持手段によって排紙ガイドに対して取付板が排紙方向と交差する方向に移動するのを規制すると共に、第２保持手段によって排紙ガイドに対して取付板が加熱部材の方向に移動するのを規制する一方、第１保持手段によって加熱部材の方向に対して取付板と排紙ガイドとが相対的に移動できるように保持させると共に、第２保持手段によって排紙方向と交差する方向に対して取付板と排紙ガイドとが相対的に移動できるように保持させたため、定着動作時における熱によって排紙ガイドが変形した場合においても、前記のように排紙ガイドの変形に伴って取付板が変形するのが防止される。
【００１９】
そして、このように取付板を排紙ガイドに取り付け、この取付板における分離爪や温度センサーを加熱部材に対して適切な位置にセットさせると、定着動作時における熱により排紙ガイドが変形した場合においても、排紙ガイドの変形に伴って取付板が変形するのが防止され、取付板に設けられた分離爪や温度センサーを加熱部材に対して適切な位置で維持されるようになる。
【００２０】
この結果、本発明の定着装置においては、定着動作時における熱により排紙ガイドが変形した場合においても、従来のように取付板に設けられた分離爪や温度センサーが加熱部材に押し付けられて、加熱部材や温度センサーが傷ついたり、分離爪や温度センサーが加熱部材から離れた位置に導かれたりすることがなく、加熱部材の温度を温度センサーによって適切に測定することができると共に、、トナー画像が定着された記録媒体を分離爪によって加熱部材から適切に分離させることができる。
【図面の簡単な説明】
【００２１】
【図１】本発明の実施形態に係る画像形成装置において画像形成を行う状態を示した概略説明図である。
【図２】本発明の実施形態に係る定着装置を示した概略断面説明図である。
【図３】前記の実施形態に係る定着装置を示した概略斜視図である。
【図４】前記の実施形態に係る定着装置において、分離爪を取付板に回動可能に取り付けた状態を示した部分斜視図である。
【図５】前記の実施形態に係る定着装置において、中央部が上方に反った排紙ガイドに対して、取付板を長さ方向に真っ直ぐにして取り付けた状態を示した概略説明図である。
【図６】前記の実施形態に係る定着装置において、中央部が上方に反った排紙ガイドの反りが縮小するように変形した場合にも、取付板が長さ方向に真っ直ぐな状態で維持されることを示した概略説明図である。
【図７】前記の実施形態に係る定着装置において、中央部が下方に反った排紙ガイドに対して、取付板を長さ方向に真っ直ぐにして取り付けた状態を示した概略説明図である。
【図８】前記の実施形態に係る定着装置において、中央部が下方に反った排紙ガイドの反りが縮小するように変形した場合には、取付板が長さ方向に真っ直ぐな状態で維持されることを示した概略説明図である。
【発明を実施するための最良の形態】
【００２２】
次に、本発明の実施形態に係る定着装置及びこの定着装置を使用する画像形成装置を添付図面に基づいて具体的に説明する。なお、本発明に係る定着装置及び画像形成装置は、下記の実施形態に示したものに限定されず、その要旨を変更しない範囲において適宜変更して実施できるものである。
【００２３】
この実施形態の画像形成装置１においては、図１に示すように、その内部に４つのイメージングカートリッジ１０Ａ〜１０Ｄを装着させている。
【００２４】
ここで、前記の各イメージングカートリッジ１０Ａ〜１０Ｄにおいては、感光体１１と、この感光体１１の表面を帯電させる帯電装置１２と、帯電された感光体１１の表面に画像情報に応じた露光を行って感光体１１の表面に静電潜像を形成する潜像形成装置１３と、感光体１１の表面に形成された静電潜像にトナーを供給してトナー画像を形成する現像装置１４と、感光体１１の表面に形成されたトナー画像を中間転写ベルト２１に転写させた後に、感光体１１の表面に残留するトナーを除去する第１クリーニング装置１５とを設けている。
【００２５】
また、前記の各イメージングカートリッジ１０Ａ〜１０Ｄにおける各現像装置１４においては、それぞれ収容させるトナーの色彩を異ならせ、黒色，黄色，マゼンタ色，シアン色のトナーを収容させている。
【００２６】
そして、この画像形成装置１においては、前記の各イメージングカートリッジ１０Ａ〜１０Ｄにおいて、それぞれ感光体１１の表面を帯電装置１２によって帯電させ、このように帯電された各感光体１１の表面に、それぞれ潜像形成装置１３によって画像情報に応じた露光を行い、各感光体１１の表面にそれぞれ画像情報に応じた静電潜像を形成し、このように各感光体１１の表面に形成された静電潜像に、前記の各現像装置１４からそれぞれの色彩のトナーを供給して、各感光体１１の表面にそれぞれの色彩のトナー画像を形成するようにしている。
【００２７】
次いで、このように各イメージングカートリッジ１０Ａ〜１０Ｄにおける各感光体１１の表面に形成された各色彩のトナー画像を、駆動ローラー２０ａと回転ローラー２０ｂとに掛け渡されて回転駆動される中間転写ベルト２１の上に一次転写ローラー２２により順々に転写させて、この中間転写ベルト２１の上に合成されたトナー画像を形成し、このように形成されたトナー画像を中間転写ベルト２１により二次転写ローラー２３と対向する位置に導く一方、転写後の各感光体１１の表面に残留するトナーをそれぞれ第１クリーニング装置１５によって各感光体１１の表面から除去するようにしている。
【００２８】
一方、この画像形成装置１内に収容された記録媒体Ｓを、給紙ローラー２４により給紙してタイミングローラー２５に導き、このタイミングローラー２５によって記録媒体Ｓを適当なタイミングで前記の中間転写ベルト２１と二次転写ローラー２３との間に導き、この記録媒体Ｓに、中間転写ベルト２１の上に形成された前記のトナー画像を二次転写ローラー２３により転写させる一方、記録媒体Ｓに転写されずに中間転写ベルト２１の上に残ったトナーを、第２クリーニング装置２６によって中間転写ベルト２１から除去するようにしている。
【００２９】
そして、このようにトナー画像が転写された記録媒体Ｓを定着装置３０に導き、この定着装置３０において、前記のトナー画像を記録媒体Ｓに定着させ、その後、トナー画像が定着された記録媒体Ｓを排紙ローラー２７によって排紙するようにしている。
【００３０】
ここで、この実施形態における定着装置３０においては、図１及び図２に示すように、トナー画像が転写された記録媒体Ｓを加熱部材３１と加圧部材３２との間に導き、この加熱部材３１と加圧部材３２との間において、トナー画像が転写された記録媒体Ｓを加熱・加圧させて、記録媒体Ｓにトナー画像を定着させるようにしている。
【００３１】
そして、前記の加熱部材３１としては、内部にハロゲンヒーター等の加熱装置３１ａが設けられた加熱ローラー３１ｂと定着ローラー３１ｃとの間に定着ベルト３１ｄを掛け渡したものを用い、また前記の加圧部材３２としては、加圧ローラー３２を用いている。また、前記の定着ローラー３１ｃとしては、例えば、鉄やアルミニウム等の金属からなる芯金の外周に、シリコーンゴム等の弾性層を設け、さらにその外周にシリコーンスポンジを設けたものを、また前記の加圧ローラー３２としては、例えば、鉄やアルミニウム等の金属からなる芯金の外周に、シリコーンゴム等の弾性層を設け、さらにその外周にフッ素系樹脂層を設けたもの用いるようにしている。
【００３２】
そして、前記の加熱ローラー３１ｂと定着ローラー３１ｃとの間に掛け渡された定着ベルト３１ｄを回転駆動させると共に、この定着ベルト３１ｄを前記の加熱ローラー３１ｂにより加熱させ、このように加熱された定着ベルト３１ｄと前記の加圧ローラー３１との間において、トナー画像が転写された記録媒体Ｓを加熱・加圧させて、記録媒体Ｓにトナー画像を定着させるようにしている。
【００３３】
また、この実施形態における定着装置３０においては、図２及び図３に示すように、取付板３３に対して、加熱部材３１と加圧部材３２との間において加熱・加圧されてトナー画像が定着された記録媒体Ｓを加熱部材３１から分離させる分離爪３４を排紙方向と交差する方向に所要間隔を介して複数設けると共に、加熱部材３１における温度を検出する温度センサー３５を設け、この取付板３３をトナー画像が定着された記録媒体Ｓを排紙方向に案内する排紙ガイド３６に対して移動可能に取り付けるようにしている。
【００３４】
ここで、この実施形態においては、前記の取付板３３に対して分離爪３４を設けるにあたり、図４に示すように、この分離爪３４を取付板３３に対して支点軸３４ａを中心にして回動可能に取り付け、ねじりコイルバネ３４ｂによりこの分離爪３４の先端が加熱部材３１に向かう方向に付勢すると共に、この分離爪３４の上端を高さ調整ネジ３４ｃに当接させ、この高さ調整ネジ３４ｃにより分離爪３４を回動させて、分離爪３４の先端と加熱部材３１との間隔を調整するようにしている。
【００３５】
また、この実施形態において、取付板３３を排紙ガイド３６に移動可能に取り付けるにあたっては、排紙ガイド３６に対して取付板３３が排紙方向と交差する方向に移動するのを規制する一方、取付板３３と排紙ガイド３６とが加熱部材３１の方向に相対的に移動できるようにして保持する第１保持手段４０と、排紙ガイド３６に対して取付板３３が加熱部材３１の方向に移動するのを規制する一方、取付板３３と排紙ガイド３６とが排紙方向と交差する方向に相対的に移動できるようにして保持する第２保持手段５０とを設けると共に、排紙ガイド３６と取付板３３とが分離しないように、取付ネジ３７により排紙ガイド３６と取付板３３とを移動可能な状態で取り付けている。
【００３６】
ここで、前記の第１保持手段４０としては、取付板３３及び排紙ガイド３６の長さ方向の中央部、すなわち排紙方向と交差する方向の中央部において、前記の取付板３３に、加熱部材３１に向かう方向、すなわち排紙方向に向けて長くなった第１案内穴４１を設ける一方、排紙ガイド３６にこの第１案内穴４１に係合される第１係合部材４２を設け、この第１係合部材４２を第１案内穴４１に係合させて、排紙ガイド３６に対して取付板３３が排紙方向と交差する方向に移動するのを規制する一方、この第１係合部材４２が第１案内穴４１に沿って移動することにより、加熱部材３１の方向に取付板３３と排紙ガイド３６とが相対的に移動できるようにしている。
【００３７】
また、前記の第２保持手段５０としては、取付板３３及び排紙ガイド３６の長さ方向の両側部、すなわち排紙方向と交差する方向の両側部において、前記の取付板３３に、その長手方向、すなわち排紙方向と交差する方向に向けて長くなった第２案内穴５１を設ける一方、排紙ガイド３６にこの第２案内穴５１に係合される第２係合部材５２を設け、この第２係合部材５２を第２案内穴５１に係合させて、排紙ガイド３６に対して取付板３３が排紙方向に移動するのを規制する一方、この第２係合部材５２が第２案内穴５１に沿って移動することにより、排紙方向と交差する方向に取付板３３と排紙ガイド３６とが相対的に移動できるようにしている。
【００３８】
そして、この実施形態の定着装置３０においては、前記のようにして取付板３３を排紙ガイド３６に取り付け、取付板３３に設けられた温度センサー３５を前記の加熱部材３１における定着ローラー３１ｃ側の定着ベルト３１ｄに近接させると共に、取付板３３に設けられた各分離爪３４を高さ調整ネジ３４ｃにより適当な角度回動させて、分離爪３４の先端と加熱部材３１との間隔を調整し、分離爪３４の先端を加熱部材３１における定着ローラー３１ｃ側の定着ベルト３１ｄに近接させるようにしている。
【００３９】
ここで、前記の排紙ガイド３６の成形時に反りが生じ、例えば、図５（Ａ）に示すように、排紙ガイド３６の中央部が上方に反った状態で、取付板３３の長さ方向中央部に設けられた前記の第１案内穴４１に、排紙ガイド３６の長さ方向の中央部に設けられた前記の第１係合部材４２を係合させると共に、取付板３３の長さ方向両側部に設けられた前記の各第２案内穴５１に、排紙ガイド３６の長さ方向の両側部に設けられた前記の各第２係合部材５２が係合させて、前記の第１保持手段４０及び第２保持手段５０により、排紙ガイド３６に取付板３３を保持させるようにして、排紙ガイド３６に取付板３３を取り付ける。
【００４０】
このようにすると、前記の第２保持手段５０により、排紙ガイド３６に対して取付板３３が加熱部材３１の方向に移動するのが規制された状態で、前記の第１保持手段４０における排紙ガイド３６に設けられた第１係合部材４２が取付板３３に設けられた前記の第１案内穴４１の上部側に係合された状態になり、中央部が上方に反った排紙ガイド３６に対して、取付板３３が長さ方向に真っ直ぐな状態で取り付けられるようになる。
【００４１】
そして、このように中央部が上方に反った排紙ガイド３６に対して、取付板３３を長さ方向に真っ直ぐな状態にして取り付けた後、取付板３３に設けられた温度センサー３５及び各分離爪３４の先端を、前記のように加熱部材３１における定着ローラー３１ｃ側の定着ベルト３１ｄに近接させ、この状態で定着動作を行い、前記の温度センサー３５によって測定された温度に基づいて、加熱ローラー３１ｂと定着ローラー３１ｃとの間において駆動される定着ベルト３１ｄを適切に加熱させて、記録媒体Ｓにトナー画像を定着させると共に、トナー画像が定着された記録媒体Ｓを各分離爪３４により定着ベルト３１ｄから分離させ、このように分離された記録媒体Ｓを、排紙ガイド３６を介して前記の排紙ローラー２７に導くようにする。
【００４２】
また、このようにして定着動作を行った場合において、定着動作時における熱により、図５（Ｂ）に示すように、中央部が上方に反った状態にある排紙ガイド３６の反りが縮小するように変形した場合、前記の第２保持手段５０により、排紙ガイド３６に対して取付板３３が加熱部材３１の方向に移動するのが規制された状態で、排紙ガイド３６の長さ方向の両側部に設けられた各第２係合部材５２が、取付板３３に設けられた前記の各第２案内穴５１の外側に若干移動すると共に、前記の第１保持手段４０においては、排紙ガイド３６に設けられた第１係合部材４２が、取付板３３に設けられた前記の第１案内穴４１に沿って下方に移動し、取付板３３自体は変形することなく、取付板３３が長さ方向に真っ直ぐな状態で維持されるようになる。
【００４３】
このため、取付板３３に設けられた温度センサー３５及び各分離爪３４の先端は、前記のように加熱部材３１における定着ローラー３１ｃ側の定着ベルト３１ｄに近接されたままの状態で維持されるようになり、分離爪３４や温度センサー３５が定着ベルト３１に押し付けられて、定着ベルト３１や温度センサー３５が傷つくということがなく、定着ローラー３１ｃ側における定着ベルト３１の温度を温度センサー３５によって適切に測定して、定着ローラー３１ｃ側における定着ベルト３１の温度を適切に制御することができると共に、トナー画像が定着された記録媒体Ｓを、各分離爪３４によって適切に定着ベルト３１ｄから分離させることができる。
【００４４】
また、図６（Ａ）に示すように、排紙ガイド３６の中央部が下方に反った状態の場合においても、取付板３３の長さ方向中央部に設けられた前記の第１案内穴４１に、排紙ガイド３６の長さ方向の中央部に設けられた前記の第１係合部材４２を係合させると共に、取付板３３の長さ方向両側部に設けられた長手方向に長くなった前記の各第２案内穴５１に、排紙ガイド３６の長さ方向の両側部に設けられた前記の各第２係合部材５２が係合させて、前記の第１保持手段４０及び第２保持手段５０により、排紙ガイド３６に取付板３３を保持させるようにして、排紙ガイド３６に取付板３３を取り付ける。
【００４５】
このようにすると、前記の第２保持手段５０により、排紙ガイド３６に対して取付板３３が加熱部材３１の方向に移動するのが規制された状態で、前記の第１保持手段４０における排紙ガイド３６に設けられた第１係合部材４２が取付板３３に設けられた前記の第１案内穴４１の下部側に係合された状態になり、中央部が下方に反った排紙ガイド３６に対して、取付板３３が長さ方向に真っ直ぐな状態で取り付けられるようになる。
【００４６】
そして、このように中央部が下方に反った排紙ガイド３６に対して、取付板３３を長さ方向に真っ直ぐな状態にして取り付けた後、取付板３３に設けられた温度センサー３５及び各分離爪３４の先端を、前記のように加熱部材３１における定着ローラー３１ｃ側の定着ベルト３１ｄに近接させ、この状態で定着動作を行い、前記の温度センサー３５によって測定された温度に基づいて、加熱ローラー３１ｂと定着ローラー３１ｃとの間において駆動される定着ベルト３１ｄを適切に加熱させて、記録媒体Ｓにトナー画像を定着させると共に、トナー画像が定着された記録媒体Ｓを各分離爪３４により定着ベルト３１ｄから分離させ、このように分離された記録媒体Ｓを、排紙ガイド３６を介して前記の排紙ローラー２７に導くようにする。
【００４７】
また、このようにして定着動作を行った場合において、定着動作時における熱により、図６（Ｂ）に示すように、中央部が下方に反った状態にある排紙ガイド３６の反りが縮小するように変形した場合、前記の第２保持手段５０により、排紙ガイド３６に対して取付板３３が加熱部材３１の方向に移動するのが規制された状態で、排紙ガイド３６の長さ方向の両側部に設けられた各第２係合部材５２が、取付板３３に設けられた前記の各第２案内穴５１の外側に若干移動すると共に、前記の第１保持手段４０においては、排紙ガイド３６に設けられた第１係合部材４２が、取付板３３に設けられた前記の第１案内穴４１に沿って上方に移動し、取付板３３自体は変形することなく、取付板３３が長さ方向に真っ直ぐな状態で維持されるようになる。
【００４８】
このため、この場合においても、取付板３３に設けられた温度センサー３５及び各分離爪３４の先端は、前記のように加熱部材３１における定着ローラー３１ｃ側の定着ベルト３１ｄに近接されたままの状態で維持されるようになり、各分離爪３４や温度センサー３５が定着ローラー３１ｃ側における定着ベルト３１から離れるのが防止され、この定着ローラー３１ｃ側における定着ベルト３１の温度を温度センサー３５によって適切に測定することができると共に、トナー画像が定着された記録媒体Ｓを各分離爪３４により適切に定着ベルト３１ｄから分離させることができる。
【００４９】
なお、この実施形態においては、前記の第１保持手段４０を取付板３３及び排紙ガイド３６の長さ方向の中央部に１つ設けるようにしただけであるが、分離爪３４間に位置するようにして複数設けることも可能である。
【００５０】
また、この実施形態においては、第１保持手段４０として、取付板３３に、排紙方向に向けて長くなった第１案内穴４１を設ける一方、排紙ガイド３６に、この第１案内穴４１に係合される第１係合部材４２を設けると共に、第２保持手段５０として、取付板３３に、排紙方向と交差する方向に向けて長くなった第２案内穴５１を設ける一方、排紙ガイド３６に、この第２案内穴５１に係合される第２係合部材５２を設けるようにしたが、第１保持手段４０や第２保持手段５０はこのようなものに限定されない。
【００５１】
例えば、第１保持手段４０として、排紙ガイド３６に、排紙方向に向けて長くなった第１案内穴４１を設ける一方、取付板３３に、この第１案内穴４１に係合される第１係合部材４２を設けると共に、第２保持手段５０として、排紙ガイド３６に、排紙方向と交差する方向に向けて長くなった第２案内穴５１を設ける一方、取付板３３に、この第２案内穴５１に係合される第２係合部材５２を設けるようにすることも可能である。
【符号の説明】
【００５２】
１  画像形成装置
１０Ａ〜１０Ｄ  イメージングカートリッジ
１１  感光体
１２  帯電装置
１３  潜像形成装置
１４  現像装置
１５  第１クリーニング装置
２０ａ  駆動ローラー、２０ｂ  回転ローラー
２１  中間転写ベルト
２２  一次転写ローラー
２３  二次転写ローラー
２４  給紙ローラー
２５  タイミングローラー
２６  第２クリーニング装置
２７  排紙ローラー
３０  定着装置
３１  加熱部材、３１ａ  加熱装置、３１ｂ  加熱ローラー、３１ｃ  定着ローラー、３１ｄ  定着ベルト
３２  加圧部材（加圧ローラー）
３３  取付板
３４  分離爪、３４ａ  支点軸、３４ｂ  ねじりコイルバネ、３４ｃ  高さ調整ネジ
３５  温度センサー
３６  排紙ガイド
３７  取付ネジ
４０  第１保持手段
４１  第１案内穴
４２  第１係合部材
５０  第２保持手段
５１  第２案内穴
５２  第２係合部材
Ｓ  記録媒体
【図１】
2015114496.tif 000003
【図２】
2015114496.tif 000004
【図３】
2015114496.tif 000005
【図４】
2015114496.tif 000006
【図５】
2015114496.tif 000007
【図６】
2015114496.tif 000008
【図７】
2015114496.tif 000009
【図８】
2015114496.tif 000010